(57)【要約】【課題】  ＣＤＭＡシステムチャネルの捕捉を２つの受信回路部で同時に行い、ＣＤＭＡシステム捕捉に要する時間を短縮することができるＣＤＭＡデータモジュールを提供する。【解決手段】  アンテナと信号送信部とを有する１つの信号送信系、アンテナとそれぞれ異なる局部発振器を有する信号受信部とを備えた２つの信号受信系を有する送受信ユニット、それに、少なくとも前記信号送信系及び各信号受信系の送受信動作を制御する制御部を有するベースバンドユニットを備えたＣＤＭＡデータモジュールであって、ＣＤＭＡデータモジュールのＣＤＭＡシステム補足時に、前記２つの信号受信系の信号受信部は、それぞれ異なるＣＤＭＡシステムチャネルを同時に捕捉し、前記制御部は、前記２つの信号受信系の信号受信部から得られたそれぞれの捕捉チャネルの受信電力を比較し、その比較により良好な受信電力が得られたチャネルを選択し、この選択したチャネルを用いて受信データの待ち受けを行う。【選択図】  図１
2005184355.tif 000002
【特許請求の範囲】
【請求項１】
アンテナと信号送信部とを有する１つの信号送信系、アンテナとそれぞれ異なる局部発振器を有する信号受信部とを備えた２つの信号受信系を有する送受信ユニット、それに、少なくとも前記信号送信系及び各信号受信系の送受信動作を制御する制御部を有するベースバンドユニットを備えたＣＤＭＡデータモジュールであって、ＣＤＭＡデータモジュールのＣＤＭＡシステム補足時に、前記２つの信号受信系の信号受信部は、それぞれ異なるＣＤＭＡシステムチャネルを同時に捕捉し、前記制御部は、前記２つの信号受信系の信号受信部から得られたそれぞれの捕捉チャネルの受信電力を比較し、その比較により良好な受信電力が得られたチャネルを選択し、この選択したチャネルを用いて受信データの待ち受けを行うことを特徴とするＣＤＭＡデータモジュール。
【請求項２】
アンテナと信号送信部とを有する１つの信号送信系、アンテナとそれぞれ異なる局部発振器を有する信号受信部とを備えた２つの信号受信系を有する送受信ユニット、それに、少なくとも前記信号送信系及び各信号受信系の送受信動作を制御する制御部を有するベースバンドユニットを備えたＣＤＭＡデータモジュールであって、ＣＤＭＡデータモジュールのＣＤＭＡシステム補足時に、前記２つの信号受信系の信号受信部は、それぞれ異なるＣＤＭＡシステムチャネルのパイロットＰＮ信号を同時に復調し、前記制御部は、前記２つの信号受信系の信号受信部から得られたそれぞれのチャネルのパイロット信号強度を比較し、その比較により信号強度が大きいパイロットＰＮ信号が得られたパイロットＰＮ信号を選択し、この選択したパイロットＰＮ信号を用いて受信データの待ち受けを行うことを特徴とするＣＤＭＡデータモジュール。
【発明の詳細な説明】
【技術分野】
【０００１】
本発明は、携帯型通信装置等に使用されるＣＤＭＡデータモジュールに係り、特に、ＣＤＭＡデータモジュールのＣＤＭＡシステム捕捉を行うとき、２つの信号受信系の信号受信部を用いて同時にシステムチャネルの捕捉を行うことによりＣＤＭＡシステム捕捉に要する時間を短縮するようにしたＣＤＭＡデータモジュールに関する。
【背景技術】
【０００２】
従来、携帯型通信装置に使用されている無線通信機器としては、ＣＤＭＡ２０００  １ｘと呼ばれるシステムの規格と、１ｘＥＶ−ＤＯと呼ばれるシステムの規格とをサポートすることができるデュアルモードの無線通信機器及びハイブリッドモードの無線通信機器がそれぞれ知られている。
【０００３】
この場合、ＣＤＭＡ２０００  １ｘと呼ばれるシステムは、通信方式に、ＣＤＭＡ／ＦＤＤ（符号分割多重方式／周波数デュプレックス）を採用し、周波数帯に８００ＭＨｚのセルラー帯を用いて、音声通話、パケットデータ通信を行っているものである。また、１ｘＥＶ−ＤＯと呼ばれるシステムは、Ｔ−ＣＤＭＡ／ＦＤＤ（時分割多重方式（下り）、符号分割多重方式（上り）／周波数デュプレックス）を採用し、周波数帯に８００ＭＨｚのセルラー帯を用いて、主としてパケットデータ通信を行っているものである。そして、ＣＤＭＡ２０００  １ｘと呼ばれるシステムと１ｘＥＶ−ＤＯと呼ばれるシステムは、同一の周波数帯及び同一の周波数チャネルスペースを有しており、変調シーケンスとしても同一のチッププレートＰＮのスペクトル拡散を用いているので、それらの送受信回路を共通の構成にすることが可能である。
【０００４】
また、デュアルモードの無線通信機器とハイブリッドモードの無線通信機器は、それぞれ１つの送信回路部と２つの受信回路部とを備えているものであるが、デュアルモードの無線通信機器は、２つの受信回路部が共通の局部発振器を有しているのに対し、ハイブリッドモードの無線通信機器は、２つの受信回路部がそれぞれ異なる局部発振器を有している点に違いがある。このため、デュアルモードの無線通信機器は、２つの受信回路部の局部発振器が共通であるため、２つの受信回路部において同時に同じチャネルを選択できるに留まるのに対し、ハイブリッドモードの無線通信機器は、２つの受信回路部の局部発振器がそれぞれ異なるものであるため、２つの受信回路部において同時に異なるチャネルを選択できるものである。
【０００５】
ＣＤＭＡシステムを採用しているこの種の無線通信機器は、無線通信機器の起動時すなわち電源投入時に、ＣＤＭＡシステムチャネルをスキャンして捕捉チャネルを探索し、その探索により受信に最も適したチャネルを待ち受けるというＣＤＭＡシステム捕捉機能を備えている。この場合、スキャンするＣＤＭＡシステムチャネルは、第１優先チャネル（プライマリチャネル）と第２優先チャネル（セカンダリチャネル）であって、それらのチャネルを捕捉した際に得られたそれぞれの受信データの受信電力（品質）を比較し、その比較によって受信電力の大きい方の受信データが得られたチャネルを選択し、その選択したチャネルの受信データの待ち受けに入るもので、以下、このチャネルを用いて無線通信を行うものである。
【０００６】
ＣＤＭＡシステムを採用しているこの種の無線通信機器において、無線通信機器の起動時に行われるＣＤＭＡシステム捕捉は、電源が投入されてから受信データの待ち受けに入るまで、通常、８秒程度の時間が必要になる。これは、信号受信部が第１優先チャネルを選択してそのチャネルを捕捉し、次いで、局部発振器の発振周波数を切替え、第２優先チャネルを選択してそのチャネルを捕捉し、そのとき受信データの比較により第１優先チャネルの受信電力が良好であれば、さらに、局部発振器の発振周波数を切替え、第１優先チャネルを選択してそのチャネルを捕捉するという処理操作が必要になるためである。
【０００７】
ここで、図４は、既知のＣＤＭＡシステムを用いた無線通信機器において、ＣＤＭＡシステム捕捉が行われる際の動作経緯の一例を示す動作説明図である。
【０００８】
図４において、横軸は経過時間であり、縦軸は１つの信号受信部Ｒｘにおける動作状態であって、信号受信部ＲｘがＣＤＭＡシステムチャネルの捕捉に、第１優先チャネル（プライマリチャネル）と第２優先チャネル（セカンダリチャネル）を捕捉する状態を示したものである。
【０００９】
図４に示されるように、時間ｔ０−ｔ１は、無線通信機器の起動時の立ち上がり時間で、時間ｔ１に第１優先チャネルが捕捉される。続く時間ｔ１−ｔ２は、第１優先チャネルの捕捉持続時間である。次の時間ｔ２−ｔ３は、第１優先チャネルの捕捉から第２優先チャネルの捕捉に切替えられる時間で、時間ｔ３に第２優先チャネルが捕捉される。続く時間ｔ３−ｔ４は、第２優先チャネルの捕捉持続時間である。次の時間ｔ４−ｔ５は、第１優先チャネルの捕捉時に得られた受信データと第２優先チャネルの捕捉時に得られた受信データとの比較、選択時間であって、その選択時に第１優先チャネルが選択されたものである。それに続く時間ｔ５−ｔ６は、第１優先チャネルの選択により第２優先チャネルの捕捉から第１優先チャネルの捕捉に切替えられる時間で、時間ｔ６に第１優先チャネルが捕捉され、その後第１優先チャネルからの受信データの待ち受けに入る。このように、この例では、無線通信機器の起動から受信データの待ち受けに入るまでに時間ｔ０から時間ｔ６まで、例えば８秒程度の時間を要するものである。
【００１０】
ところで、ＣＤＭＡシステムを用いるこの種の無線通信機器においては、ＣＤＭＡデータモジュールが独立した構成のものになっており、ＣＤＭＡデータモジュールの使用時に外部機器に接続して使用するタイプのものが多く存在する。このような独立した構成のＣＤＭＡデータモジュールは、外部機器に接続された際にその外部機器から電源供給が行われるもので、外部機器の動作状態に応じて電源のオン／オフがなされ、通常そのオン／オフ回数が比較的多くなっている。ＣＤＭＡデータモジュールをこのような状態で使用した場合は、電源投入が行われる度毎にＣＤＭＡシステム捕捉が行われることになり、ＣＤＭＡシステム捕捉の捕捉回数が増えるに従ってＣＤＭＡシステム捕捉に要する時間もその分長くなる。そして、ＣＤＭＡシステム捕捉に要する時間が長くなれば、ＣＤＭＡシステム捕捉時の電流消費もそれに応じて増えることになり、ユーザーにとって決して好ましいことではないという問題点を有している。
【００１１】
ちなみに、デュアルモードの無線通信機器やハイブリッドモードの無線通信機器のように、２つの信号受信部を備えている無線通信機器としては、ダイバーシティ受信機が知られている。このダイバーシティ受信機は、どちらかといえばデュアルモードの無線通信機器に近いもので、２つの信号受信部が共通の局部発振器を備えており、２つの信号受信部で同じ基地局から送信された同じ周波数の無線信号を受信し、受信した２つの受信信号の中の受信電力が良好なものを選択し、この選択した受信信号を利用するようにしているものである。
【００１２】
このようなダイバーシティ受信機は、本来、単一周波数の無線信号を２つの信号受信部で同時に受信するものであり、ＣＤＭＡシステムを採用している無線通信機器のように、ＣＤＭＡシステムチャネルの捕捉を行う必要がないので、ＣＤＭＡシステム捕捉に要する時間が長くなったり、ＣＤＭＡシステム捕捉時の電流消費が増大したりすることもなく、前述のような問題点を有するものではない。
【特許文献１】該当する特許文献なし
【発明の開示】
【発明が解決しようとする課題】
【００１３】
本発明は、このような技術的背景に鑑みてなされたもので、その１つの目的は、ＣＤＭＡシステムチャネルの捕捉を２つの受信回路部で同時に行い、ＣＤＭＡシステム捕捉に要する時間を短縮することができるＣＤＭＡデータモジュールを提供することにある。
【課題を解決するための手段】
【００１４】
前記目的を達成するために、本発明によるＣＤＭＡデータモジュールは、アンテナと信号送信部とを有する１つの信号送信系、アンテナとそれぞれ異なる局部発振器を有する信号受信部とを備えた２つの信号受信系を有する送受信ユニット、それに、少なくとも信号送信系及び各信号受信系の送受信動作を制御する制御部を有するベースバンドユニットを備えたＣＤＭＡデータモジュールであって、ＣＤＭＡデータモジュールのＣＤＭＡシステム補足時に、２つの信号受信系の信号受信部は、それぞれ異なるＣＤＭＡシステムチャネルを同時に捕捉し、制御部は、２つの信号受信系の信号受信部から得られたそれぞれの捕捉チャネルの受信電力を比較し、その比較により良好な受信電力が得られたチャネルを選択し、この選択したチャネルを用いて受信データの待ち受けを行う第１の手段を具備している。
【００１５】
また、前記目的を達成するために、本発明によるＣＤＭＡデータモジュールは、アンテナと信号送信部とを有する１つの信号送信系、アンテナとそれぞれ異なる局部発振器を有する信号受信部とを備えた２つの信号受信系を有する送受信ユニット、それに、少なくとも前記信号送信系及び各信号受信系の送受信動作を制御する制御部を有するベースバンドユニットを備えたＣＤＭＡデータモジュールであって、ＣＤＭＡデータモジュールのＣＤＭＡシステム補足時に、２つの信号受信系の信号受信部は、それぞれ異なるＣＤＭＡシステムチャネルのパイロットＰＮ信号を同時に復調し、制御部は、２つの信号受信系の信号受信部から得られたそれぞれのチャネルのパイロット信号強度を比較し、その比較により信号強度が大きいパイロットＰＮ信号が得られたパイロットＰＮ信号を選択し、この選択したパイロットＰＮ信号を用いて受信データの待ち受けを行う第２の手段を具備している。
【発明の効果】
【００１６】
請求項１に記載の発明によれば、ＣＤＭＡデータモジュールにおいて、ＣＤＭＡデータモジュールのＣＤＭＡシステム補足時に、２つの信号受信系の信号受信部がそれぞれ異なるＣＤＭＡシステムチャネルを同時に捕捉し、制御部が２つの信号受信系の信号受信部から得られたそれぞれの捕捉チャネルの受信電力を比較し、その比較により良好な受信電力が得られたチャネルを選択し、この選択したチャネルを用いて受信データの待ち受けを行うものであるので、ＣＤＭＡシステム捕捉の開始後、それぞれのＣＤＭＡシステムチャネルの捕捉、捕捉チャネルの受信電力の比較、受信電力の良好な信号受信部の選択までを、１回のＣＤＭＡシステムチャネルの捕捉に対応する時間を要するだけで受信データの待ち受けに入るので、ＣＤＭＡシステム捕捉に要する時間を大幅に短縮することができ、その結果、ＣＤＭＡシステム捕捉時の電流消費の増大を回避することができるという効果がある。
【００１７】
請求項２に記載の発明によれば、ＣＤＭＡデータモジュールにおいて、ＣＤＭＡデータモジュールのＣＤＭＡシステム補足時に、２つの信号受信系の信号受信部がそれぞれ異なるＣＤＭＡシステムチャネルのパイロットＰＮ信号を同時に復調し、制御部が２つの信号受信系の信号受信部から得られたそれぞれのチャネルのパイロット信号強度を比較し、その比較により信号強度が大きいパイロットＰＮ信号が得られたパイロットＰＮ信号を選択し、この選択したパイロットＰＮ信号を用いて受信データの待ち受けを行うものであり、スペクトル拡散変調されているパイロットＰＮ信号を復調する際に、ＰＮ符号の逆拡散及び時間積分を行っているため、復調にかなりの時間を必要とするのに対し、ＣＤＭＡシステム捕捉の開始後、ＣＤＭＡシステムチャネルのパイロットＰＮ信号の復調、復調したパイロット信号強度の比較、パイロット信号強度の大きい信号受信部の選択までを、１回のＣＤＭＡシステムチャネルの捕捉に伴うパイロットＰＮ信号の復調に対応した時間を経るだけで受信データの待ち受けに入るので、ＣＤＭＡシステム捕捉に要する時間を大幅に短縮することができ、その結果、ＣＤＭＡシステム捕捉時の電流消費の増大を回避することができるという効果がある。
【発明を実施するための最良の形態】
【００１８】
以下、本発明の実施の形態を図面を参照して説明する。
【００１９】
図１は、本発明によるＣＤＭＡデータモジュールの一つの実施の形態を示すブロック図である。
【００２０】
図１に示されるように、この実施の形態によるＣＤＭＡデータモジュールは、送受信ユニット１と、ベースバンドユニット２とを備えている。この場合、送受信ユニット１は、送受信アンテナ３とデュプレクサ（ＤＵＰ）４と送信回路部（ＴＸ）５と第１受信回路部（ＲＸ１）６と受信アンテナ７と第２受信回路部（ＲＸ２）８とを有しており、ベースバンドユニット２は、制御部（ＣＰＵ）９の他に、メモリ１０やディスプレイ等の表示部１１やマイクロホンなどの入力部１２やスピーカーなどの出力部１３等の付加機器を有している。また、第１受信回路部６は、局部発振器（ＬＯ１）６（１）を有しており、第２受信回路部８は、局部発振器（ＬＯ２）８（１）を有している。
【００２１】
そして、送受信ユニット１において、デュプレクサ４は、信号入出力端が送受信アンテナ３に接続され、信号入力端が送信回路部５の信号出力端に接続され、信号出力端が第１受信回路部４の信号入力端に接続されている。送信回路部５は、信号入力端がベースバンドユニット２の制御部９に接続され、第１受信回路部６は、信号出力端がベースバンドユニット２の制御部９に接続されている。第２受信回路部８は、信号入力端が受信アンテナ７に接続され、信号出力端がベースバンドユニット２の制御部９に接続されている。また、ベースバンドユニット２において、制御部９は、メモリ１０と表示部１１と入力部１２と出力部１３にそれぞれ接続され、第１受信回路部６の局部発振器６（１）と第２受信回路部８の局部発振器８（１）にそれぞれ接続されている。
【００２２】
また、図２は、図１に図示されたＣＤＭＡデータモジュールにおいて、ＣＤＭＡシステム捕捉が行われる際の動作経緯の一例を示す動作説明図である。
【００２３】
図２において、横軸は経過時間であり、縦軸は第１信号受信部６及び第２信号受信部８における動作状態であって、ＣＤＭＡシステムチャネルの捕捉に、第１信号受信部６が第１優先チャネル（プライマリチャネルで、例えば７６チャネル）を、第２信号受信部８が第２優先チャネル（セカンダリチャネルで、例えば８７２チャネル）をそれぞれ同時に捕捉する状態を示したものである。
【００２４】
ここで、前記構成を有するこの実施の形態によるＣＤＭＡデータモジュールの動作を図１及び図２を参照して説明する。
【００２５】
始めに、このＣＤＭＡデータモジュールの起動時、すなわちＣＤＭＡデータモジュールに電源投入された際に行われるＣＤＭＡシステム捕捉時の動作について述べる。
【００２６】
図２に図示の時間ｔ０に、ＣＤＭＡデータモジュールに電源が投入され、ＣＤＭＡデータモジュールが起動されると、制御部９は、図２に図示の時間ｔ０−ｔ１にその起動処理を行う。そして、図２に図示の時間ｔ１になって起動処理が終了すると、制御部９は、多くの伝送チャネルの中のＣＤＭＡシステムの捕捉チャネルに該当する２つのチャネル、すなわち第１優先チャネル及び第２チャネル優先チャネルをスキャンによって抽出し、第１信号受信部６の局部発振器６（１）の局部発振周波数を、第１信号受信部６で第１優先チャネルを捕捉できるような周波数値に制御設定し、同時に、第２信号受信部８で第２優先チャネルを捕捉できるように、第２信号受信部８の局部発振器８（１）の局部発振周波数を、第２信号受信部８で第２優先チャネルを捕捉できるような周波数値に制御設定する。
【００２７】
制御部９がこのような周波数設定を行うと、図２に図示の時間ｔ１−ｔ２に、第１信号受信部６が第１優先チャネルを捕捉し、第１信号受信部６で受信された第１優先チャネルの受信データが制御部９に供給され、同時に、第２信号受信部８が第２優先チャネルを捕捉し、第２信号受信部８で受信された第２優先チャネルの受信データが制御部９に供給される。次いで、図２に図示の時間ｔ２−ｔ３に、制御部９は、供給された２つの受信データの受信電力の大きさを比較し、その比較により受信電力の大きい受信データを供給したチャネルを選択する。このとき、制御部９が、例えば第１優先チャネルが選択したとすると、図２に図示の時間ｔ３−ｔ４に、制御部９は、第１信号受信部６が再び第１優先チャネルを捕捉するような設定にし、かつ、第２信号受信部８の動作が停止するように、例えば第２信号受信部８の電源がオフになるような設定にする。
【００２８】
そして、図２に図示の時間ｔ４に、第１信号受信部６は、第１優先チャネルを通して伝送供給される受信データの待ち受けに入り、第１優先チャネルを通してデータが伝送供給されると、第１信号受信部６がそのデータを受信する。このとき、第２信号受信部８は、非動作状態にあるので、第２優先チャネルを通して伝送供給されたデータを受信しない。
【００２９】
次に、ＣＤＭＡデータモジュールにおける起動時以後、ＣＤＭＡデータモジュールで行われる通常の送受信動作について述べる。ただし、この通常の送受信動作においては、第１信号受信部６を用いた第１優先チャネルを通して受信動作が行われるものとする。
【００３０】
データ送信時においては、制御部９がベースバンド送信データを形成し、形成したベースバンド送信データを送信タイミング時に制御部９から送信回路部５に伝送供給する。送信回路部５は、供給されたベースバンド送信データをＣＤＭＡシステムに適したパケットデータに変換するとともに、第１信号受信部６の局部発振器６（１）の局部発振周波数との合成により送信に適した周波数に変換して送信データを形成し、この送信データをデュプレクサ４を通して送受信アンテナ３に供給する。送受信アンテナ３は、供給された送信データを無線信号として送信する。
【００３１】
また、データ受信時においては、送受信アンテナ３が到来した無線信号を受信すると、受信データとしてデュプレクサ４を通して第１受信回路部６に伝送される。第１受信回路部６は、供給された受信データをベースバンドデータに周波数変換するとともにＣＤＭＡシステムに適したパケットデータをベースバンド受信データに変換し、得られたベースバンド受信データを制御部９に供給する。制御部９は、供給されたベースバンド受信データをデータの種類に対応したデータ処理を行い、得られた処理データをそのデータに適した付加機器に供給し、付加機器を動作させる。
【００３２】
このように、この実施の形態に係わるＣＤＭＡデータモジュールによれば、ＣＤＭＡデータモジュールのＣＤＭＡシステム補足時に、２つの信号受信系の第１及び第２信号受信部６、８がそれぞれ異なるＣＤＭＡシステムチャネル、例えば７６チャネル及び８７２チャネルを同時に捕捉し、制御部９が２つの信号受信系の第１及び第２信号受信部６、８から得られたそれぞれの捕捉チャネルの受信電力を比較し、その比較により良好な受信電力が得られたチャネル、例えば７６チャネルを選択し、選択した第１信号受信部６を用いて受信データの待ち受けを行うので、ＣＤＭＡシステム捕捉の開始後、それぞれのＣＤＭＡシステムチャネルの捕捉、捕捉チャネルの受信電力の比較、受信電力の良好な捕捉チャネルの選択までを、１回のＣＤＭＡシステムチャネルの捕捉に対応する時間を要するだけで受信データの待ち受けに入るので、ＣＤＭＡシステム捕捉に要する時間を既知のこの種の無線通信機器に比べて大幅に短縮することができ、それによりＣＤＭＡシステム捕捉時の電流消費の増大を回避できるものである。
【００３３】
なお、前記実施の形態においては、制御部９が受信電力の良好な信号受信部として第１信号受信部６を選択しているが、例えば、第１信号受信部６の第１優先チャネルの受信電力よりも第２信号受信部８の第２優先チャネルの受信電力が良好であれば、制御部９が受信電力の良好なＣＤＭＡシステムチャネルとして第２優先チャネルを選択し、その選択よって、第１信号受信部６を第２優先チャネルを捕捉するような設定にし、かつ、第２信号受信部８の動作が停止するような設定にする。
【００３４】
また、前記実施の形態においては、第１優先チャネルとして７６チャネルを、第２優先チャネルとして８７２チャネルをそれぞれ抽出した例を上げて説明したが、ＣＤＭＡシステム捕捉の要件を満たしているチャネルであれば、他の２つのチャネルを抽出しても良いことは勿論である。
【００３５】
次に、図３は、本発明によるＣＤＭＡデータモジュールの他の実施の形態を示すブロック図である。
【００３６】
図３に示されるように、第１信号受信部６は、内部にパイロットＰＮ信号復調部（ＰＮ  ＤＥＴ）６（２）が配置され、第２信号受信部８は、内部にパイロットＰＮ信号復調部（ＰＮ  ＤＥＴ）８（２）が配置されている。そして、図３に図示されたその他の構成要素については、図１に図示された対応する構成要素と同じ構成要素について同じ符号を付け、その説明を省略する。
【００３７】
一般に、ＣＤＭＡシステムにおいては、ＣＤＭＡシステムチャネルにそれぞれパイロットＰＮ信号が使用される。このパイロットＰＮ信号は、ＰＮ符号により拡散変調されたパイロット信号であって、パイロットＰＮ信号を復調する際に、パイロットＰＮ信号復調部においてＰＮ符号の逆拡散及び時間積分を行ってパイロットＰＮ信号を復調するものであるため、ＣＤＭＡシステムチャネルのパイロット信号の捕捉及び復調、それに復調したパイロット信号の信号強度の検出は、それぞれ時間を要するものである。
【００３８】
このため、この他の実施の形態においては、ＣＤＭＡデータモジュールの起動時に、第１信号受信部６で第１優先チャネルを捕捉し、同時に、第２信号受信部８で第２優先チャネルを捕捉する点までは前述の実施の形態と同じであるが、第１信号受信部６で受信された第１優先チャネルのパイロットＰＮ信号をパイロットＰＮ信号復調部６（２）に供給し、パイロットＰＮ信号復調部６（２）でパイロットＰＮ信号を復調して復調したパイロットを制御部９に供給し、それと同時に、第２信号受信部８で受信された第２優先チャネルのパイロットＰＮ信号をパイロットＰＮ信号復調部８（２）に供給し、パイロットＰＮ信号復調部８（２）でパイロットＰＮ信号を復調して、復調したパイロット信号を制御部９に供給する。
【００３９】
制御部９は、復調された２つのパイロット信号が供給されると、それらの信号強度を比較し、信号強度の大きい方のパイロット信号を復調した信号受信部、例えば第１信号受信部６が第１優先チャネルを捕捉するように設定し、一方、信号強度の小さい方のパイロット信号を復調した信号受信部、例えば第２信号受信部８が動作停止するように設定しているものである。
【００４０】
このように、この実施の形態に係わるＣＤＭＡデータモジュールによれば、ＣＤＭＡデータモジュールのＣＤＭＡシステム補足時に、２つの信号受信系の信号受信部がそれぞれ異なるＣＤＭＡシステムチャネルのパイロットＰＮ信号を同時に復調し、制御部が２つの信号受信系の信号受信部から得られたそれぞれのチャネルのパイロット信号強度を比較し、その比較により信号強度が大きいパイロット信号が得られた信号受信部を選択し、この選択した信号受信部を用いて受信データの待ち受けを行うものであって、パイロットＰＮ信号を復調する際に、ＰＮ符号の逆拡散及び時間積分を行うため、パイロットＰＮ信号の復調にかなりの時間を必要とするのに対し、ＣＤＭＡシステム捕捉の開始後、ＣＤＭＡシステムチャネルのパイロットＰＮ信号の復調、復調したパイロット信号強度の比較、パイロット信号強度の大きい信号受信部の選択までを、１回のＣＤＭＡシステムチャネルの捕捉に伴うパイロットＰＮ信号の復調に対応した時間を経るだけで受信データの待ち受けに入るので、ＣＤＭＡシステム捕捉に要する時間を大幅に短縮することができ、それによりＣＤＭＡシステム捕捉時に電流消費の増大を回避することができる。
【図面の簡単な説明】
【００４１】
【図１】本発明によるＣＤＭＡデータモジュールの１つの実施の形態を示すブロック図である。
【図２】図１に図示されＣＤＭＡデータモジュールにおけるＣＤＭＡシステムチャネルの捕捉動作経緯を示す説明図である。
【図３】本発明によるＣＤＭＡデータモジュールの他の実施の形態を示すブロック図である。
【図４】既知の無線通信装置におけるＣＤＭＡシステムチャネルの捕捉動作経緯を示す説明図である。
【符号の説明】
【００４２】
１  送受信ユニット
２  ベースバンドユニット
３  送受信アンテナ
４  デュプレクサ
５  送信回路部
６  第１受信回路部
６（１）  局部発振器
６（２）パイロットＰＮ信号復調部
７  受信アンテナ
８  第２受信回路部
８（１）  局部発振器
８（２）パイロットＰＮ信号復調部
９  制御部
１０  メモリ
１１  表示部
１２  入力部
１３  出力部
【図１】
2005184355.tif 000003
【図２】
2005184355.tif 000004
【図３】
2005184355.tif 000005
【図４】
2005184355.tif 000006